(57)【特許請求の範囲】
【請求項１】
制御デバイスのコントロールウィジェット提供方法において、
複数の制御対象デバイスに対する制御命令を入力するのに利用される複数のコントロールウィジェットを受信するステップと、
前記複数の受信されたコントロールウィジェットを実行するステップと、
前記複数のコントロールウィジェットを待ち受け画面にディスプレイするステップと、
前記待ち受け画面に前記複数のコントロールウィジェットがディスプレイされる間、前記複数のコントロールウィジェットに含まれる複数のコントロールアイコンのうちの一つが選択されると、前記選択されたコントロールアイコンに対応する制御命令を、前記選択されたコントロールアイコンに対応する制御対象デバイスに伝達するステップと、
を含むことを特徴とするコントロールウィジェット提供方法。
【請求項２】
前記複数のコントロールウィジェットは、
サーバから受信されることを特徴とする請求項１に記載のコントロールウィジェット提供方法。
【請求項３】
前記複数のコントロールウィジェットは、
前記複数の制御対象デバイスから受信されることを特徴とする請求項１に記載のコントロールウィジェット提供方法。
【請求項４】
前記複数のコントロールウィジェットは、
待ち受けモードで前記待ち受け画面の一部にディスプレイされることを特徴とする請求項１に記載のコントロールウィジェット提供方法。
【請求項５】
前記複数のコントロールウィジェットは、
前記複数の制御対象デバイスの種類毎に別に設けられることを特徴とする請求項１に記載のコントロールウィジェット提供方法。
【請求項６】
前記複数のコントロールウィジェットに対する編集命令を入力されるステップと、
前記入力された前記編集命令に応じて、前記複数のコントロールウィジェットを編集するステップと
をさらに含むことを特徴とする請求項１に記載のコントロールウィジェット提供方法。
【請求項７】
前記編集するステップは、
前記複数のコントロールウィジェットの形状を変更するステップを含むことを特徴とする請求項６に記載のコントロールウィジェット提供方法。
【請求項８】
前記形状を変更するステップは、
前記複数のコントロールウィジェットを構成するコントロールアイコンの配列を変更するステップを含むことを特徴とする請求項７に記載のコントロールウィジェット提供方法。
【請求項９】
前記形状を変更するステップは、
前記複数のコントロールウィジェットを構成するコントロールアイコンを追加するステップを含むことを特徴とする請求項７に記載のコントロールウィジェット提供方法。
【請求項１０】
前記複数のコントロールウィジェットをディスプレイするステップを含み、
前記形状を変更するステップは、
前記複数のコントロールウィジェットのうちの一つを削除するステップを含むことを特徴とする請求項７に記載のコントロールウィジェット提供方法。
【請求項１１】
前記複数のコントロールウィジェットをアップデートするステップをさらに含むことを特徴とする請求項１に記載のコントロールウィジェット提供方法。
【請求項１２】
前記複数のコントロールウィジェットは、
サーバ又は前記複数の制御対象デバイスに周期的に接続して、前記アップデートに関する情報を確認することを特徴とする請求項１１に記載のコントロールウィジェット提供方法。
【請求項１３】
前記複数のコントロールウィジェットは、
サーバ又は前記複数の制御対象デバイスから前記アップデートに関する情報を受信することを特徴とする請求項１１に記載のコントロールウィジェット提供方法。
【請求項１４】
複数のコントロールウィジェットにより複数の制御対象デバイスを制御する制御デバイスであって、
前記複数の制御対象デバイスに対する制御命令を入力するのに利用される前記複数のコントロールウィジェットを受信するネットワークインターフェースと、
前記複数の受信されたコントロールウィジェットを実行し、前記複数のコントロールウィジェットを待ち受け画面にディスプレイし、前記待ち受け画面に前記複数のコントロールウィジェットがディスプレイされる間、前記複数のコントロールウィジェットに含まれる複数のコントロールアイコンのうちの一つが選択されると、前記選択されたコントロールアイコンに対応する制御命令を、前記選択されたコントロールアイコンに対応する制御対象デバイスに伝達するように前記制御デバイスを制御する制御部と、
を備える制御デバイス。
【請求項１５】
前記複数のコントロールウィジェットは、
サーバから受信されることを特徴とする請求項１４に記載の制御デバイス。
【請求項１６】
前記複数のコントロールウィジェットは、
前記複数の制御対象デバイスから受信されることを特徴とする請求項１４に記載の制御デバイス。
【請求項１７】
前記複数のコントロールウィジェットは、
待ち受けモードで前記待ち受け画面の一部にディスプレイされることを特徴とする請求項１４に記載の制御デバイス。
【請求項１８】
前記複数のコントロールウィジェットは、
前記複数の制御対象デバイスの種類毎に別に設けられることを特徴とする請求項１４に記載の制御デバイス。
【請求項１９】
前記複数のコントロールウィジェットに対する編集命令が入力されるタッチスクリーンをさらに備え、
前記制御部は、前記入力された前記編集命令に応じて、前記制御デバイスが前記複数のコントロールウィジェットを編集するように制御することを特徴とする請求項１４に記載の制御デバイス。
【請求項２０】
前記編集は、
前記複数のコントロールウィジェットの形状の変更を含むことを特徴とする請求項１９に記載の制御デバイス。
【請求項２１】
前記形状の変更は、
前記複数のコントロールウィジェットを構成するコントロールアイコンの配列の変更を含むことを特徴とする請求項２０に記載の制御デバイス。
【請求項２２】
前記形状の変更は、
前記複数のコントロールウィジェットを構成するコントロールアイコンの追加を含むことを特徴とする請求項２０に記載の制御デバイス。
【請求項２３】
前記制御部は、前記複数のコントロールウィジェットをディスプレイするように前記制御デバイスを制御し、
前記形状の変更は、
前記複数のコントロールウィジェットのうちの一つの削除を含むことを特徴とする請求項２０に記載の制御デバイス。
【請求項２４】
前記制御部は、
前記複数のコントロールウィジェットをアップデートするように前記制御デバイスを制御することを特徴とする請求項１４に記載の制御デバイス。
【請求項２５】
前記ネットワークインターフェースは、
サーバ又は前記複数の制御対象デバイスに周期的に接続して、前記アップデートに関する情報を確認することを特徴とする請求項２４に記載の制御デバイス。
【請求項２６】
前記ネットワークインターフェースは、
サーバ又は前記複数の制御対象デバイスから前記アップデートに関する情報を受信することを特徴とする請求項２４に記載の制御デバイス。
【発明の詳細な説明】
【技術分野】
【０００１】
本発明は、ウィジェット提供方法及びこれを適用したデバイスに関し、さらに詳細には、サーバからウィジェットを提供されてユーザにサービスを提供する方法及びこれを適用したデバイスに関する。
【背景技術】
【０００２】
多様なデジタルデバイスの登場により、ユーザが保有しているデジタルデバイスも多くなった。ユーザは、デジタルデバイスに埋もれて生きているといっても過言ではないだろう。
【０００３】
このような、多様なデジタルデバイスは、ユーザの生活を便利かつ豊かにするのに一助した。そして、近来に至っては、さらに加速化したデジタルデバイスの高性能化と多機能化は、その寄与度を一層向上させた。
【０００４】
それにも拘わらず、ユーザは、より便利で豊かな生活を追求し、その解決方法をデジタルデバイスがより高性能化、多機能化することから見出そうとしている。
【０００５】
しかしながら、デジタルデバイスが単独に行う機能には限界がある。そのため、ユーザが保有しているデジタルデバイスが相互融合して機能することで、デジタルデバイスが単独に行えない新しい機能が創出されるようにして、ユーザの生をより便利で豊かにするための方策を摸索することが求められる。
【先行技術文献】
【特許文献】
【０００６】
【特許文献１】韓国特開第２００５−００００１９４号公報
【特許文献２】韓国特開第２００８−０００１３２６号公報
【特許文献３】韓国特開第２００８−０００２３６２号公報
【特許文献４】韓国特開第２００７−００７６８０８号公報
【発明の概要】
【発明が解決しようとする課題】
【０００７】
そこで、本発明は、上記問題に鑑みてなされたものであり、本発明の目的とするところは、デバイスに設置して制御対象デバイスに対する制御命令を遠隔入力できるようにするコントロールウィジェット提供方法及びこれを適用したデバイスを提供することにある。
【課題を解決するための手段】
【０００８】
上記課題を解決するために、本発明のある観点によれば、コントロールウィジェット提供方法は、制御対象デバイスに対する制御命令を入力するのに利用されるコントロールウィジェットを受信するステップと、前記受信されたコントロールウィジェットを実行するステップと、前記実行されたコントロールウィジェットを利用して入力されたユーザ命令を、前記制御対象デバイスに伝達するステップとを含む。
【０００９】
そして、本コントロールウィジェット提供方法は、前記コントロールウィジェットに対する編集命令が入力されるステップと、前記入力された編集命令に従って、前記コントロールウィジェットを編集するステップとをさらに含むことができる。
【００１０】
また、前記編集は、前記コントロールウィジェット自体の形状を変更、前記コントロールウィジェット自体を削除、前記コントロールウィジェットを構成するコントロールアイコンの配列変更、前記コントロールウィジェットを構成するコントロールアイコンを追加又は削除及び前記コントロールウィジェットの位置変更のうち、少なくとも一つを含むことができる。
【００１１】
そして、本コントロールウィジェット提供方法は、第１制御対象デバイスに対する制御命令を入力するのに利用される第１コントロールウィジェットと、第２制御対象デバイスに対する制御命令を入力するのに利用される第２コントロールウィジェットとを共にディスプレイするステップと、前記第１コントロールウィジェットを介して第１ユーザ命令が入力されると、前記第１ユーザ命令を前記第１制御対象デバイスに伝達するステップと、前記第２コントロールウィジェットを介して第２ユーザ命令が入力されると、前記第２ユーザ命令を前記第２制御対象デバイスに伝達するステップとをさらに含むことができる。
【００１２】
また、前記コントロールウィジェットは、前記制御対象デバイスの種類毎に別に設けられることができる。
【００１３】
そして、前記コントロールウィジェットは、サーバ又は前記制御対象デバイスに予め格納されていることができる。
また、本コントロールウィジェット提供方法は、前記コントロールウィジェットをアップデートするステップをさらに含むことができる。
【００１４】
そして、前記コントロールウィジェットは、サーバ又は前記制御対象デバイスに周期的に接続して、前記アップデートに関する情報を確認することができる。
【００１５】
また、前記コントロールウィジェットは、サーバ又は前記制御対象デバイスから前記アップデートに関する情報を受信することができる。
【００１６】
また、上記課題を解決するために、本発明の別の観点によれば、制御デバイスのコントロールウィジェットにより制御される制御対象デバイスは、前記制御対象デバイスに対する制御命令を入力するのに利用される前記コントロールウィジェットを送信し、前記制御デバイスにより実行されたコントロールウィジェットを利用して入力されたユーザ命令を受信するネットワークインターフェースと、前記ユーザ命令に従って前記制御対象デバイスを制御する制御部とを備える。
【００１７】
また、前記コントロールウィジェットは、前記制御対象デバイスの種類毎に別に設けられることができる。
【００１８】
そして、前記ネットワークインターフェースは、前記コントロールウィジェットのアップデートに関する情報を前記制御デバイスに提供することができる。
【００１９】
また、上記課題を解決するために、本発明の別の観点によれば、コントロールウィジェットにより制御対象デバイスを制御する制御デバイスは、前記制御対象デバイスに対する制御命令を入力するのに利用されるコントロールウィジェットを受信するネットワークインターフェースと、前記受信されたコントロールウィジェットを実行し、前記実行されたコントロールウィジェットを利用して入力されたユーザ命令を、前記制御対象デバイスに伝達するように前記制御デバイスを制御する制御部とを備える。
【００２０】
また、前記ネットワークインターフェースは、前記コントロールウィジェットをサーバ又は前記制御対象デバイスから受信することができる。
【００２１】
そして、前記コントロールウィジェットに対する編集命令が入力されるタッチスクリーンをさらに備え、前記制御部は、前記入力された編集命令に従って、前記制御デバイスが前記コントロールウィジェットを編集するように制御することができる。
【００２２】
また、前記編集は、前記コントロールウィジェット自体の形状を変更、前記コントロールウィジェット自体を削除、前記コントロールウィジェットを構成するコントロールアイコンの配列変更、前記コントロールウィジェットを構成するコントロールアイコンを追加又は削除及び前記コントロールウィジェットの位置変更のうち、少なくとも一つを含むことができる。
【００２３】
そして、前記コントロールウィジェットは、前記制御対象デバイスの種類毎に別に設けられることができる。
また、前記制御部は、前記コントロールウィジェットをアップデートするように前記制御デバイスを制御することができる。
【００２４】
そして、前記ネットワークインターフェースは、サーバ又は前記制御対象デバイスに周期的に接続して、前記アップデートに関する情報を確認することができる。
【００２５】
また、前記ネットワークインターフェースは、サーバ又は前記制御対象デバイスから前記アップデートに関する情報を受信することができる。
【００２６】
また、上記課題を解決するために、本発明の別の観点によれば、制御デバイスのコントロールウィジェットにより制御対象デバイスを制御するコントロールウィジェット制御システムは、前記制御対象デバイスに対する制御命令を入力するのに利用される前記コントロールウィジェットを送信し、前記制御デバイスにより実行された前記コントロールウィジェットを利用して入力されたユーザ命令を行う制御対象デバイスと、前記コントロールウィジェットを受信し、前記受信されたコントロールウィジェットを実行し、前記実行されたコントロールウィジェットを利用して入力されたユーザ命令を、前記制御対象デバイスに伝達する制御デバイスとを備える。
【００２７】
また、前記制御デバイスは、前記コントロールウィジェットに対する編集命令が入力されると、前記入力された編集命令に従って、前記コントロールウィジェットを編集することができる。
【００２８】
そして、前記編集は、前記コントロールウィジェット自体の形状を変更、前記コントロールウィジェット自体を削除、前記コントロールウィジェットを構成するコントロールアイコンの配列変更、前記コントロールウィジェットを構成するコントロールアイコンを追加又は削除及び前記コントロールウィジェットの位置変更のうち、少なくとも一つを含むことができる。
【００２９】
また、前記制御デバイスは、前記コントロールウィジェットをアップデートすることができる。
そして、前記コントロールウィジェットは、前記制御対象デバイスに周期的を接続して前記アップデートに関する情報を確認するか、又は前記制御対象デバイスから前記アップデートに関する情報を受信することができる。
【００３０】
また、上記課題を解決するために、本発明の別の観点によれば、コントロールウィジェットにより制御対象デバイスを制御するコントロールウィジェット制御システムは、前記制御対象デバイスに対する制御命令を入力するのに利用される前記コントロールウィジェットを送信するサーバと、前記コントロールウィジェットを受信し、前記受信されたコントロールウィジェットを実行し、前記実行されたコントロールウィジェットを利用して入力されたユーザ命令を、前記制御対象デバイスに伝達する制御デバイスと、前記伝達されたユーザ命令を行う制御対象デバイスとを備える。
【００３１】
また、前記制御デバイスは、前記コントロールウィジェットに対する編集命令が入力されると、前記入力された編集命令に従って、前記コントロールウィジェットを編集することができる。
そして、前記編集は、前記コントロールウィジェット自体の形状を変更、前記コントロールウィジェット自体を削除、前記コントロールウィジェットを構成するコントロールアイコンの配列変更、前記コントロールウィジェットを構成するコントロールアイコンを追加又は削除及び前記コントロールウィジェットの位置変更のうち、少なくとも一つを含むことができる。
また、前記制御デバイスは、前記コントロールウィジェットをアップデートすることができる。
【００３２】
そして、前記コントロールウィジェットは、サーバに周期的に接続して前記アップデートに関する情報を確認するか、又は前記サーバから前記アップデートに関する情報を受信することができる。
【発明の効果】
【００３３】
以上説明したように、本発明によれば、制御対象デバイスを遠隔制御できるコントロールウィジェットで手軽にダウンロードしてデバイスに設置して利用できるようになる。また、複数の制御対象デバイスにコントロールウィジェットをダウンロードしてデバイスに設置すると、ユーザは、一つのデバイスを介して複数の制御対象デバイスを遠隔制御できるようになる。
なお、コントロールウィジェットは編集可能なので、ユーザの好みを尊重できるようになる。
【図面の簡単な説明】
【００３４】
【図１】本発明が適用可能なネットワークを示す図である。
【図２】コントロールウィジェットをダウンロードし、ダウンロードしたコントロールウィジェットをユーザの好みに合うように編集し、コントロールウィジェットを利用してホーム機器を制御する方法の説明に提供される図である。
【図３】コントロールウィジェットを例示した図である。
【図４】コントロールウィジェットの編集の説明に提供される図である。
【図５】コントロールウィジェットの編集の説明に提供される図である。
【図６】図１に示す携帯電話の詳細ブロック図である。
【発明を実施するための形態】
【００３５】
以下に添付図面を参照しながら、本発明の好適な実施の形態について詳細に説明する。
【００３６】
＜１．ネットワークの構成＞
図１は、本発明が適用可能なネットワークを示す図である。図１に示すように、本発明が適用可能なネットワークは、携帯電話１１０、ＴＶ１２０、ＤＶＤＰ１３０及びデジタルフォトフレーム１４０が相互通信できるように接続されて構成される。
一方、携帯電話１１０は、インターネットＩを介してウェブストアサーバ１０と通信できるように接続される。
ここで、携帯電話１１０は、制御デバイスに該当し、ＴＶ１２０、ＤＶＤＰ１３０及びデジタルフォトフレーム１４０などのホーム機器は、制御対象デバイスに該当し、ウェブストアサーバ１０は、制御デバイスと相互通信するサーバに該当することができる。
【００３７】
＜２．コントロールウィジェット＞
コントロールウィジェットは、携帯電話１１０を介してホーム機器１２０、１３０及び１４０を遠隔制御命令するのに利用されるウィジェットである。コントロールウィジェットは、ホーム機器毎に別に製作されて利用される。したがって、ＴＶ１２０を遠隔制御命令するためのＴＶコントロールウィジェット、ＤＶＤＰ１３０を遠隔制御命令するためのＤＶＤＰコントロールウィジェット、デジタルフォトフレーム１４０を遠隔制御命令するためのデジタルフォトフレームコントロールウィジェットはそれぞれ別である。
ウェブストアサーバ１０は、コントロールウィジェットを製品別、製品モデル別に保有している。
また、ホーム機器もまた、自身の製品及びモデルに該当するコントロールウィジェットを保有している。
以下では、コントロールウィジェットを提供する方法について説明する。具体的に説明すると、コントロールウィジェットを受信し、受信されたコントロールウィジェットをユーザの好みに合うように編集し、コントロールウィジェットを利用してホーム機器を制御する過程について、図２を参照して詳細に説明する。
図２は、本発明の一実施の形態に係るコントロールウィジェット提供方法の説明に提供される図である。
【００３８】
＜２−１．コントロールウィジェットの受信＞
以下の実施の形態では、携帯電話１１０がウェブストアサーバ１０からコントロールウィジェットを受信すると想定したが、これは、例示的なものにすぎない。携帯電話１１０の代わりにＴＶ１２０、ＤＶＤＰ１３０及びデジタルフォトフレーム１４０などのホーム機器が自身のコントロールウィジェットをウェブストアサーバ１０から受信して格納したコントロールウィジェット又は予め格納されたコントロールウィジェットを携帯電話１１０に送信することも可能である。
ユーザにより携帯電話１１０にコントロールウィジェット追加命令が入力されると（Ｓ２１０−Ｙ）、携帯電話１１０は、ステップＳ２１０にて追加命令されたコントロールウィジェットをインターネットＩを介してウェブストアサーバ１０に要請する（Ｓ２２０）。ここで、携帯電話１０は、追加命令されたコントロールウィジェットをホーム機器１２０、１３０、１４０に直接要請できる。
【００３９】
例えば、ステップＳ２１０にてユーザがＤＶＤＰコントロールウィジェットを追加命令した場合、ステップＳ２２０にて携帯電話１１０は、ＤＶＤＰコントロールウィジェットをウェブストアサーバ１０又はホーム機器１２０、１３０、１４０に要請する。ステップＳ２２０の要請には、ＤＶＤＰのモデル番号が含まれているが、このモデル番号により要請しようとするホーム機器が特定される。
以後、携帯電話１１０は、インターネットＩを介してウェブストアサーバ１０からコントロールウィジェットを受信する（Ｓ２３０）。ここで、携帯電話１０は、ホーム機器１２０、１３０、１４０からコントロールウィジェットを受信することができる。そして、携帯電話１１０は、ステップＳ２３０にて受信されたコントロールウィジェットをインストールする。
【００４０】
以上の手順により、携帯電話１１０には、新しいコントロールウィジェットが設置される。以上の手順は、ユーザが新しいホーム機器を購買した場合や、予め保有しているホーム機器を携帯電話１１０で実行されるコントロールウィジェットで遠隔制御命令しようとする場合に行われることが一般的である。
一方、ユーザが既存のホーム機器を処分した場合や、まだ保有しているが、携帯電話１１０で実行されるコントロールウィジェットでホーム機器を遠隔制御命令しないようとする場合には、携帯電話１１０に格納されているホーム機器のコントロールウィジェットを削除命令できることはもちろんである。
【００４１】
＜２−２．コントロールウィジェットの編集＞
図３には、設置されたコントロールウィジェットが待ち受け画面に配列された携帯電話１１０を示した。具体的に説明すると、図３には、ＴＶコントロールウィジェット、ＤＶＤＰコントロールウィジェット及びデジタルフォトフレームコントロールウィジェットが実行されて、待ち受け画面に現れた携帯電話１１０が示されている。
携帯電話１１０に現れたコントロールウィジェットは、ユーザの好みによって編集可能である。すなわち、図２に示すように、ユーザにより携帯電話１１０にコントロールウィジェット編集命令が入力されると（Ｓ２４０−Ｙ）、携帯電話１１０は、ステップＳ２４０にて入力された編集内容に応じてコントロールウィジェットを編集する（Ｓ２５０）。
【００４２】
コントロールウィジェットの編集は、１）コントロールウィジェット自体の形状を変更、２）コントロールウィジェット自体を追加／削除、３）コントロールウィジェットを構成するコントロールアイコンの配列を変更、４）コントロールウィジェットを構成するコントロールアイコンを追加／削除することなどを含む。
図４には、図３に示すＴＶコントロールウィジェットとＤＶＤＰコントロールウィジェットとの形状が編集された結果を示した。それだけでなく、図４に示すように、図３に示すＴＶコントロールウィジェットを構成するコントロールアイコンとＤＶＤＰコントロールウィジェットを構成するコントロールアイコンとの配列が変更されたことも確認できる。
【００４３】
一方、図５には、図３に示すＴＶコントロールウィジェットの形状が編集され、ＴＶコントロールウィジェットを構成するコントロールアイコンが追加されて増えた結果を示した。それだけでなく、図５に示すように、図３に示すデジタルフォトフレームコントロールウィジェットが削除されたことも確認できる。
以上言及したコントロールウィジェットの編集方式は、例示的なものにすぎない。以上言及した編集以外の他の編集も可能であることはもちろんである。他の例として、コントロールウィジェットの位置編集を挙げることができる。すなわち、携帯電話１１０の待ち受け画面上においてコントロールウィジェットの位置は、ユーザの好みにより変更可能である。それだけでなく、待ち受け画面に現れないコントロールウィジェットを追加する形式の編集も可能である。
【００４４】
＜２−３．コントロールウィジェットを利用したホーム機器の制御＞
図２に示すように、ユーザが携帯電話１１０に現れたコントロールウィジェットを利用してユーザ命令を入力すると（Ｓ２６０−Ｙ）、携帯電話１１０は、ステップＳ２６０にて入力されたユーザ命令を該当ホーム機器１２０、１３０又は１４０に伝達する（Ｓ２７０）。
具体的に説明すると、
【００４５】
１）ステップＳ２４０にてユーザがＴＶコントロールウィジェットを利用してユーザ命令を入力すると、携帯電話１１０は、入力されたユーザ命令をＴＶ１２０に伝達し、
【００４６】
２）ステップＳ２４０にてユーザがＤＶＤＰコントロールウィジェットを利用してユーザ命令を入力すると、携帯電話１１０は、入力されたユーザ命令をＤＶＤＰ１３０に伝達し、
【００４７】
３）ステップＳ２４０にてユーザがデジタルフォトフレームコントロールウィジェットを利用してユーザ命令を入力すると、携帯電話１１０は、入力されたユーザ命令をデジタルフォトフレーム１４０に伝達する。
一方、ステップＳ２７０にてユーザ命令を伝達されたホーム機器１２０、１３０又は１４０は、伝達されけたユーザ命令を行う（Ｓ２８０）。
【００４８】
＜２−４．コントロールウィジェットのアップデート＞
一方、図２に示されていないが、携帯電話１１０に設置されたコントロールウィジェットはアップデートされうる。換言すれば、携帯電話１１０は、ウェブストアサーバ１０からアップデートされたコントロールウィジェットを受信して、予め設置されたコントロールウィジェットを代えることが可能である。
ここで、コントロールウィジェットのアップデートは、携帯電話１１０に設置されたコントロールウィジェットが直接ウェブストアサーバ１０又はホーム機器１２０、１３０、１４０に周期的に接続して、アップデートに関する情報を確認することができる。
また、ウェブストアサーバ１０又はホーム機器１２０、１３０、１４０がアップデートに関する情報を携帯電話１１０に送信し、携帯電話１１０は、アップデートに関する情報を受信して、携帯電話１１０に設置されたコントロールウィジェットをアップデートできる。換言すれば、ウェブストアサーバ上のコントロールウィジェットがアップデートされると、ウェブストアサーバ１０がコントロールウィジェットのアップデート事実を携帯電話１１０に通報して、コントロールウィジェットのアップデートを誘導するように具現可能である。
【００４９】
＜３．携帯電話（制御デバイス）＞
図６は、図１に示す携帯電話１１０の詳細ブロック図である。図６に示すように、携帯電話１１０は、移動通信部１１１、タッチスクリーン１１２、制御部１１３、格納部１１４及びネットワークインターフェース１１５を備える。
移動通信部１１１は、携帯電話１１０本然の機能と付随的機能を担当するブロックであって、移動電話通話、ＳＭＳ、ＤＭＢ放送受信、撮影などを行う。
タッチスクリーン１１２は、移動通信部１１１の移動電話通話、ＳＭＳ提供に必要な画面、ＤＭＢ放送及び前述したコントロールウィジェットがディスプレイされるディスプレイ手段の機能と、タッチを介したユーザ命令が入力される手段の機能を共に行う。
格納部１１４は、携帯電話１１０の駆動に必要なプログラムとデータ及びダウンロードしたコントロールウィジェットが格納される格納空間を提供する。
ネットワークインターフェース１１５は、インターネットＩを介してウェブストアサーバ１０に通信できるように接続されて、ウェブストアサーバ１０からコントロールウィジェットを受信する。ここで、ネットワークインターフェース１１５は、ホーム機器１２０、１３０、１４０からコントロールウィジェットを受信しうることはもちろんである。また、ネットワークインターフェース１１５は、周辺のホーム機器１２０、１３０、及び１４０と通信できるように接続されて、タッチスクリーン１１２を介して入力されるユーザ命令をこれらに伝達する。
【００５０】
制御部１１３は、図２に示すステッのうち、携帯電話１１０で行われるステップが行われるように、移動通信部１１１、タッチスクリーン１１２、制御部１１３、格納部１１４及びネットワークインターフェース１１５を制御して、コントロールウィジェットの受信と編集を可能にし、コントロールウィジェットを利用したユーザ命令伝達を可能にする。
【００５１】
＜４．ホーム機器（制御対象デバイス）＞
図１に示すホーム機器１２０、１３０、１４０は、制御部（図示せず）、格納部（図示せず）及びネットワークインターフェース（図示せず）を備えることができる。
格納部は、ホーム機器１２０、１３０、１４０の駆動に必要なプログラムとデータ及びウェブストアサーバ１０から受信したコントロールウィジェット又は既存のコントロールウィジェットが格納される格納空間を提供する。
ネットワークインターフェースは、ホーム機器に対する制御命令を入力するのに利用されるコントロールウィジェットを送信し、携帯電話１１０により実行されたコントロールウィジェットを利用して入力されたユーザ命令を受信する。
図１に示すネットワークは、例示的なものにすぎない。図１に示したものと異なる種類のデバイスから構成されるネットワークの場合も、本発明が適用されることができる。すなわち、他のホーム機器を制御する携帯電話１１０は、他のモバイル機器で具現可能であり、モバイル機器の例としてＰＤＡ、ＰＭＰ、ＭＰ３プレーヤー、デジタルカメラ、携帯用ゲーム機、電子本、ノートＰＣなどを例に挙げることができる。
【００５２】
また、他のホーム機器を制御する携帯電話１１０は、モバイル機器は、もちろん、ＴＶ、デジタルフォトフレーム、デスクトップＰＣのようなディスプレイを備えた据え置き型機器でも具現可能である。
【００５３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５４】
１０    ウェブストアサーバ
Ｉ    インターネット
１１０    携帯電話
１１１    移動通信部
１１２    タッチスクリーン
１１３    制御部
１１４    格納部
１１５    ネットワークインターフェース
１２０、１３０、１４０    ホーム機器
【図１】
0005904704.tif 000002
【図２】
0005904704.tif 000003
【図３】
0005904704.tif 000004
【図４】
0005904704.tif 000005
【図５】
0005904704.tif 000006
【図６】
0005904704.tif 000007